Podtech/llm-jp-corpus-v4-ja_patent huggingface dataset:
(57)【要約】      （修正有）【課題】  極薄手袋の着脱の際、空気の流通する加工をしてスムースな着脱を得る。【解決手段】  極薄い手袋着脱の際は手袋内部の空気の流通が悪く、手袋と肌が張り付いて着脱し難いが、空気の流通する加工を施し手袋のスムースな着脱が出来る。【選択図】図−１
2004360158.tif 000002
【特許請求の範囲】
【請求項１】
手袋裏側の手のひら面図１及び手の甲図２の両面に極小の突起（１）或いは細い乱線模様等の小突起（２）を施す。
【請求項２】
医療用等繊細な用途に使用する手袋は、手袋内側手のひら側と指先を図３のように平面加工（３）とし、手袋の甲のみを、図１及び図２のように極小の突起（１）あるいは細い乱線模様等の小突起（２）加工を施す。
【発明の詳細な説明】
【発明の詳細な説明】
【技術分野】
【０００１】  本発明は、極薄手袋等の着脱の際に手袋内面と手の甲や手のひら指等の肌が接触する部分の空気の流通が悪いために手袋の内面と手や指に張り付いて着脱し難い手袋の内面を、空気が流通し易い加工をした、極薄手袋等の容易な着脱に関するものである。
【背景技術】
【０００２】  従来の手袋の内面は平面であり、手袋内面と手の間の空気の流通が悪く肌に密着して滑り難く着脱し難い問題があった。【０００３】  手袋外側の指先や手のひらに滑り難い小突起を設けたものはあったが、手袋内面の空気の流通手段を講じたものは無かった。
【発明が解決しょうとする課題】
【０００４】  極薄の手袋等は、手袋内面と手の間の空気の流通が悪く手に張り付いて着脱がスムースに出来ない。
【０００５】  手袋を着け易くするためにカタクリ粉等を使う場合もあるが手が濡れていたり発汗すると効き目が無い。
【０００６】  カタクリ粉等の粉を使うと手袋内部が汚れる。
【課題を解決するための手段】
【０００７】  上記目的を解決するため、手袋着脱の際に内面を空気が流通し易い加工を施す。
【０００８】  手袋内面を極く微小のザラザラした突起加工を施し空気が流通し易くする。
【０００９】  或いは、手袋内面に極小突起の乱線模様等を施し空気が流通し易い加工を施す。
【００１０】  医療用の手袋等、手袋内面の指先や手のひらが平面の方がよい用途の場合は、手袋内面の指先や手のひらは平面とし、手の甲と指の甲のみに空気の流通し易い加工を施す。
【発明実施の形態】
【００１１】  発明の実施の形態を実施例にもとずき図面を参照して説明する。
【００１２】  図１手袋の手のひら内面及び図２手の甲内面に、極小の突起（１）或いは細い乱線模様等の小突起（２）加工を施す。
【００１３】  医療用等の繊細な作業に使用する手袋は、手のひらと指先を平面加工（３）し手の甲のみを極小突起（１）或いは細い乱線模様等小突起（２）の加工とする。
【発明の効果】
【００１４】  本発明は、以上説明した加工を施されているから、以下に記載される効果を有する。
【００１５】  手袋が、手や肌に張り付かずにスムースに着脱出来る。
【００１６】  カタクリ粉等の粉を使う必要がなく手袋内面が汚れない。
【００１７】  手が濡れていたり、汗をかいても容易に着脱できる。
【００１８】  医療用等手袋の用途によって、指先や手のひらを平面とし指先の甲や手の甲のみの空気の流通加工を施すことが可能であり、あらゆる極薄手袋に加工できる。
【図面の簡単な説明】
【図１】  極薄手袋内面の手のひら側である。
【図２】  極薄手袋内面の手の甲側である。
【図３】  極薄手袋内面の手のひら側平面加工図である。
【符号の説明】
１  極小の突起加工。
２  細い突起の乱線模様等。
３  指先や手のひらを平面とした手袋内面。
【図−１】
2004360158.tif 000003
【図−２】
2004360158.tif 000004
【図−３】
2004360158.tif 000005
(57)【要約】【課題】靴下がずり落ちたり、脱げて爪先でもたついたりしないで、肌にフィットすることを目的に解決した靴下で、さらに肌に優しくソフトで履き心地が良く、安定感のあるずれ防止靴下です。【構成】靴下（１）の内側の繊維に高摩擦塗料を浸透（２）させて、靴下が足からずり落ちたり、脱げたり、横にずれるのを防ぐずれ防止靴下を提供するものです。【選択図】  図１
2004360151.tif 000002
【特許請求の範囲】
【請求項１】
靴下（１）の内側の繊維に高摩擦塗料を浸透（２）させて、靴下が足からずり落ちたり、脱げたり、横にずれるのを防ぐずれ防止靴下です。
【発明の詳細な説明】
【０００１】
【発明の属する技術分野】この発明は靴下がずり落ちたり、脱げて爪先でもたついたり、横にずれたりするのを防止するために、靴下の内側の繊維に高摩擦塗料を浸透させたずれ防止靴下です。
【０００２】
【従来の技術】
従来の靴下は、足首のゴムの強化や靴下の中間部にゴムを入れたり、靴下の編み方などで、ずり落ちや脱げるのを防止していたが、洗濯を繰り返すと生地の性が無くなり、その効果も無くなる。
【０００３】
従来の靴下は、部分締め付けでずれ防止を計っているので、足全体から来る引っ張りや横ずれなどに耐える効果がない。
【０００４】
【発明が解決しようとする課題】これには次のような欠点がある。
（イ）足首のゴムを強化した靴下は、締め付けによって足首が痛くなる。
（ロ）足首のゴムを強化した靴下は、足首の血行が悪くなるのでむくむ。
（ハ）足首のゴムを強化した靴下は、締め付けによって足首にミミズばれのゴム跡が出来てかゆくなる。
（ニ）生地に性が無くなると、ずれ防止効果が無くなる。
（ホ）中間にゴムが入った靴下は足の締め付けが二ケ所になるので、履き心地が悪い。
（ヘ）中間にゴムが入った靴下はゴムが二ケ所になるので履きにくい。
（ト）中間ゴムは足の甲の一番高い所に入っているので靴と当り、不快感がある。
【０００５】
【発明が解決するための手段】
靴下（１）の内側の繊維に高摩擦塗料を浸透（２）させて、靴下が足からずり落ちたり、脱げたり、横にずれるのを防ぐずれ防止靴下です。
【０００６】
靴下の内側全体に高摩擦塗料を浸透させると繊維が肌に密着する様になる。
したがってずれ防止効果が生まれる。
【０００７】
高摩擦塗料の湿とり感が肌に優しく履き心地が良く、安定感がある。
【０００８】
【発明の実施の形態】
本発明は靴下の内側に高摩擦塗料を浸透させたものである。高摩擦塗料は不水溶材なので、洗濯をしてもその効果が変わらない。
【０００９】
履き安くするため靴下の内側に部分塗布
【図３】しても同じ効果が得られる。
【００１０】
洗濯を繰り返した靴下でも浸透加工が可能で、ずれ防止効果は同じ様に得られる。
【００１１】
【発明の効果】
使用方法や履き方は従来の靴下と何等変わる所は無い、内側に高摩擦塗料を繊維に浸透させると、次の効果が得られる。
（イ）高摩擦の滑り止め効果で靴下がずり落ちない。
（ロ）足の爪先でずれた靴下が緩み、もたつきが起こらない。
（ハ）洗濯で足首のゴムの締め付けが弱くなったり、性が無くなった靴下でも、ずれ防止効果は持続くする。
（ニ）繰り返し洗濯しても高摩擦塗料が落ちることはない。
（ホ）滑り止めの高摩擦塗料により足全体にフィットし、ソフトで履き心地が良く、安定感が得られる。
【図面の簡単な説明】
【図１】本発明の全体斜図
【図２】本発明の全体浸透内面図
【図３】本発明の部分浸透の内面全体図
【符号の説明】
１．靴下本体                      ２．高摩擦塗料
３．内側部分浸透
【図１】
2004360151.tif 000003
【図２】
2004360151.tif 000004
【図３】
2004360151.tif 000005
(57)【要約】【課題】洋服を着たままで簡単に脱ぎ着できる汗取りの肌着を提供する。【解決手段】ガーゼタオル地の前身ごろ（１）と厚手タオル地の後身ごろ（２）の脇が分離した肌着で、ウェストの位置に前身ごろ（１）と後身ごろ（２）を結合するための紐（３）等の結合手段を取りつけたことを特徴とする。【選択図】    図  １
2004360153.tif 000002
【特許請求の範囲】
【請求項１】
吸水性素材の前身ごろ（１）と後身ごろ（２）の脇が分離した肌着であって、ウェストの位置に前身ごろ（１）と後身ごろ（２）を結合するための紐（３）等の結合手段を取りつけ、洋服を着たままでも容易に脱ぎ着できる汗取りのための肌着。
【発明の詳細な説明】
【０００１】
【発明の属する技術分野】
この発明は、洋服を着たまま容易に脱ぎ着できる汗取りのための肌着に関するものである。
【０００２】
【従来の技術】
従来、発汗した時に通気性を良くし汗の蒸発を促す素材や、汗の冷たさを感じさせない素材の肌着は登山用やスポーツ用にある。
【０００３】
【発明が解決しようとする課題】
これは次のような欠点があった。
（イ）発汗した時、汗になった肌着を取り替えたくとも、セータやＹシャツ等洋服を着たままでは肌着の脱着はできない。
（ロ）発汗した時に通気性を良くし汗の蒸発を促す素材や、汗の冷たさを感じさせない素材の肌着は有るが、発汗したままの状態では汗を拭い去ったという爽快感は無い。
（ハ）背中にタオルを入れ、発汗時に引き抜く方法はあるが、一人で背中にタオルを貼り付けるのは難しく、しばしば運動中ずり落ちる。
本発明は、この問題を解決するためなされたものである。
【０００４】
【課題を解決するための手段】
ガーゼタオル地の前身ごろ（１）と厚手タオル地の後身ごろ（２）の脇が分離しており、ウェストの位置に前身ごろ（１）と後身ごろ（２）を結合するための紐（３）等の結合手段を取りつけた。
本発明は以上のような構成よりなる、汗取りのための肌着である。
【０００５】
【発明の実施の形態】
以下、本発明の実施例について説明する。
（イ）ガーゼタオル地の前身ごろ（１）と厚手タオル地の後身ごろ（２）を肩で縫い合わせる。
（ロ）ウェストの位置に前身ごろ（１）と後身ごろ（２）を結合するための紐（３）等の結合手段を取りつける。
本発明は以上のような構成で、これを使用する時は、この肌着を頭からかぶり肌に直接当てる。ウェスト位置で紐（３）等の結合手段で前身ごろ（１）と後身ごろ（２）を結合する。その後普通に下着を着けて、パンツのゴムでウェスト位置が固定した時点で（３）の結合部をはずす。後は通常の着衣を行う。発汗しこの肌着を脱ぎたい時は、服をきたまま襟元から引き抜く。
なお、吸水性素材としてはタオル地等の布地に限らず、紙オムツに用いるような紙や不織布の重ねあわせでも良い。
【０００６】
【発明の効果】
（イ）前身ごろと後身ごろが分離しているので、発汗時にこの肌着は、洋服を着たまま襟元から引き抜き取り去ることができる。
（ロ）前身ごろと後身ごろが分離しているので、野外でもこの肌着は洋服を着たまま着ることもできる。
【図面の簡単な説明】
【図１】本発明の斜視図である。
【図２】本発明の着衣状態を示す斜視図である。
【符号の説明】
１、前身ごろ
２、後身ごろ
３、紐
４、下着
【図１】
2004360153.tif 000003
【図２】
2004360153.tif 000004
(57)【要約】      （修正有）【課題】伸縮自在にできることでコンパクト化させる伸縮自在なヘルメット及び安全帽を提供する。【解決手段】伸縮自在にするために、従来の帽体を二面体以上に切断した扇状の帽体Ａ，Ｂの一部分を重ね合せた状態で伸縮自在に出来るよう前後及び上下に移動可能なように帽体Ａの裏側の側面部に係止用の突起を設け、この突起を一方の帽体Ｂの側面部に設けた帯状の孔ａに嵌入し帽体の一部を重ね合わせた状態で固定し帽体Ｂが帯状の孔により移動可能となり伸縮自在なヘルメット及び安全帽となる。【選択図】  図１
2004360152.tif 000002
【特許請求の範囲】
【請求項１】
既存のヘルメットを二面体以上に切断した扇状の帽体を用いたもので、図面に一例として示した図１の要領通り、帽体（Ａ）と帽体（Ｂ）の一部分を重ね合せて一対の帽体となる伸縮自在なヘルメット及び安全帽。
【請求項２】
帽体（Ａ）と帽体（Ｂ）が重ね合せた状態で伸縮自在にできるよう、前後及び上下に自在に動かすための帽体（Ａ）の裏側の側面部の一部分に係止用の突起物（イ）を設け、この突起物（イ）を帽体（Ｂ）の側面部に帯状に設けた係止用の穴目（ａ）に嵌入し、帽体（Ａ）と帽体（Ｂ）の一部分を重ね合せた伸縮自在なヘルメット及び安全帽。
【請求項３】
帽体（Ａ）と帽体（Ｂ）を一時固定した際に、上下に動かないようにするために、帽体（Ｂ）の上部の一部分に帽体（Ａ）の上部の端部分をはさみ込むためのＵ字型の係止装置（ｂ）を設けた伸縮自在なヘルメット及び安全帽。
【請求項４】
帽体（Ａ）と帽体（Ｂ）を一時固定した際に、後ろにずれ動かないようにするために、帽体（Ａ）の裏側の側面部の一部分に係止用の突起物（ロ）を設け、この突起物（ロ）を帽体（Ｂ）の側面部に設けた係止用の穴目（ｃ）に嵌入させ、帽体（Ａ）と帽体（Ｂ）の一部分が重ね合せた状態で一時固定できる伸縮自在はヘルメット及び安全帽。
【発明の詳細な説明】
【０００１】
【発明の属する技術】
本発明は、伸縮自在し、コンパクト化する技術。
【０００２】
【従来の技術】
従来のヘルメット及び安全帽は、帽体全体の形状を変化させたものである。
【０００３】
【発明が解決しようとする課題】
従来のヘルメット及び安全帽は、持ち運び及び保管上から、かさばりがあり不便さを感じるもので、このかさばりを解消するためには、コンパクト化することが賢明であり、コンパクト化するためには、簡単に伸縮でき、ヘルメット及び安全帽の機能に支障のないものとする。
【０００４】
【課題を解決するための手段】
コンパクト化を目的とする伸縮自在な作動を必要とするため、従来の帽体を二面体以上に切断した扇状の帽体の一部分を重ね合せた状態で連結するものである。
【０００５】
【発明実施の形態】
本発明の一例として、図面の図１の要領通り、二面体の帽体（Ａ）と帽体（Ｂ）の一部分を重ね合せた状態で、伸縮自在にできるよう、前後及び上下に自在に動かすための帽体（Ａ）の裏側の側面部の一部分に係止用の突起物（イ）を設け、この突起物（イ）を帽体（Ｂ）の側面部に帯状に設けた係止用の穴目（ａ）に嵌入し、帽体（Ａ）と帽体（Ｂ）の一部分を重ね合せ、次に一時固定した際に上下に動かないように、帽体（Ｂ）の上部の一部分に帽体（Ａ）の上部の端部分をはさみ込むためのＵ字型の係止装置（ｂ）を設け、又、一時固定した際に後ろにずれ動かないようにするために帽体（Ａ）の裏側の側面部の一部分に係止用の突起物（ロ）を設け、この突起物（ロ）を帽体（Ｂ）の側面部に設けた係止用の穴目（ｃ）に嵌入させ、帽体（ａ）と帽体（Ｂ）の一部分が重ね合わせた状態で一時固定でき、最後に、帽体（Ｂ）に設けた帯状の係止用の穴目（ａ）及び係止用の穴目（ｃ）を、おおいかぶせる為のＬ字型の長方形の平板上の安全装置（ハ）を設けた伸縮自在なヘルメット及び安全帽。
【０００６】
【発明の効果】
伸縮自在にできることでコンパクト化になれば、持ち運びに便利であり、保管する上でもかさばりがなくなることで小さな保管面積及び少ない容積でよくなる。
【図面の簡単な説明】
【図  １】立面図
【図  ２】側面断面図
【図  ３】側面図
【図  ４】側面断面図
【符号の説明】
（Ａ）        帽体
（Ｂ）        帽体
（ａ）        係止用の穴目
（ｂ）        Ｕ字型の係止装置
（ｃ）        係止用の穴目
（イ）        係止用の突起物
（ロ）        係止用の突起物
（ハ）        平板上の安全装置
【図１】
2004360152.tif 000003
【図２】
2004360152.tif 000004
【図３】
2004360152.tif 000005
【図４】
2004360152.tif 000006
【手続補正書】
【提出日】平成15年6月19日(2003.6.19)
【手続補正１】
【補正対象書類名】明細書
【補正対象項目名】請求項１
【補正方法】変更
【補正の内容】
【請求項１】
既存のヘルメットを二面体以上に切断した扇状の帽体と同様な形状のもので、図面に一例として示した図１の要領通り、帽体（Ａ）と帽体（Ｂ）の一部分を重ね合せて一対の帽体となる伸縮自在なヘルメット及び安全帽。
【手続補正２】
【補正対象書類名】明細書
【補正対象項目名】０００１
【補正方法】変更
【補正の内容】
【０００１】本発明は、伸縮自在にして、コンパクト化にする。
(57)【要約】【課題】フェイスマスクを使うとき、落ちたり剥がれたりしないように、弾力のある棒に角度と方向をもたせたフェイスマスク固定用具を提供する。【解決の手段】弾力のある棒に、顔の両側面及び額に沿うよう角度と方向を設けたフェイスマスク固定用具を特徴とする。【選択図】    図１
2004360149.tif 000002
【特許請求の範囲】
【請求項１】
弾性のある棒に顔の両側面及び額に沿う角度と方向を設けたフェイスマスク固定用具。
【発明の詳細な説明】
【０００１】
【発明の属する技術分野】
この発明は、弾性のある棒に顔の両側面及び額に沿う角度と方向をつけたフェイスマスク固定用具に関するものである。
【０００２】
【従来の技術】
従来、フェイスマスクを固定する道具は無かった。
【０００３】
【発明が解決しようとする課題】
フェイスマスクには次のような欠点があった。
（イ）剥がれたり落ちたりするのを防ぐため、上を向いたり、仰向けになったりする必要があった。
（ロ）使用している間、他の作業や動作がしにくかった、もしくは出来なかった。
（ハ）剥がれ落ちてしまった場合、不衛生であるため再度顔に使用することは出来なかった。
本発明は、以上のような欠点をなくすためになされたものである。
【０００４】
【課題を解決するための手段】
弾力のある棒に顔の両側面及び額に沿わせて角度と方向を設ける。
本発明は、以上の構成よりなるフェイスマスク固定用具である。
【０００５】
【発明の実施の形態】
以下、本発明の実施の形態について説明する。
弾力のある棒に、顔の左側面、額、右側面に沿う角度と方向を設ける。
本発明は、以上のような構造でこれを使用するときは、フェイスマスク使用時にフェイスマスクの上に装着すればよい。
【０００６】
【発明の効果】
（イ）フェイスマスクが固定されているので落ちたり剥がれたりしない。
（ロ）フェイスマスクが固定されているので落ちたり剥がれたりするのを気にせず行動できる。
（ハ）使用は入浴後が多く、マスク使用中の時間（大体１０〜１５分）も体を拭いたり、髪を乾かしたりと有効に使える。
【図面の簡単な説明】
【図１】本発明の斜面図である。
【図２】本発明の左側面図である。
【符号の説明】
１  弾性のある棒
【図１】
2004360149.tif 000003
【図２】
2004360149.tif 000004
(57)【要約】【課題】サッシ用面材をそれが大型のものであってもコスト的に有利に建物に取り付けることができるサッシ用面材の取付け構造を提供する。【解決手段】建物の構造用鉄骨軸材１，２をサッシ用面材３の周縁部の一方の面側を支えるサッシ枠部とし、該構造用鉄骨軸材１，２と、サッシ用面材３の周縁部のもう一方の面側及び側面側を支えるサッシ枠部材６，７とで、サッシ用面材３の周縁部を三方から支えて、サッシ用面材３を保持している。【選択図】      図１
2004211322.tif 000002
【特許請求の範囲】
【請求項１】
建物の構造用鉄骨軸材をサッシ用面材の周縁部の一方の面側を支えるサッシ枠部とし、
該構造用鉄骨軸材と、サッシ用面材の周縁部のもう一方の面側及び側面側を支えるサッシ枠部材とで、サッシ用面材の周縁部を三方から支えて、サッシ用面材を保持していることを特徴とするサッシ用面材の取付け構造。
【請求項２】
前記サッシ用面材がガラス板又はアクリル板からなる請求項１に記載のサッシ用面材の取付け構造。
【発明の詳細な説明】
【０００１】
【発明の属する技術分野】
本発明は、サッシ用面材の取付け構造に関する。
【０００２】
【従来の技術】
鉄骨軸組構造の建物において、ガラス板などのサッシ用面材の取付けは、面材の周縁部を正面側、背面側、側面側の三方から支えて保持するサッシ枠を用い、このサッシ枠に面材を保持させ、サッシ枠を建物の構造躯体に取り付けるというようにして行われている。
【０００３】
【発明が解決しようとする課題】
しかしながら、上記のような三方保持型のサッシ枠を用いた取付け構造では、特に、面材が大型であるような場合には、コストが高くつくという問題があった。
【０００４】
本発明は、かかる問題点に鑑み、サッシ用面材をそれが大型のものであってもコスト的に有利に建物に取り付けることができるサッシ用面材の取付け構造を提供することを課題とする。
【０００５】
【課題を解決するための手段】
上記の課題は、建物の構造用鉄骨軸材をサッシ用面材の周縁部の一方の面側を支えるサッシ枠部とし、
該構造用鉄骨軸材と、サッシ用面材の周縁部のもう一方の面側及び側面側を支えるサッシ枠部材とで、サッシ用面材の周縁部を三方から支えて、サッシ用面材を保持していることを特徴とするサッシ用面材の取付け構造によって解決される。
【０００６】
この構造では、建物の構造用鉄骨軸材をサッシ用面材の周縁部の一方の面側を支えるサッシ枠部としているから、サッシ枠部材は、サッシ用面材の周縁部のもう一方の面側と側面側とを支えるだけでよく、そのため、サッシ枠部材の材料コストを低く抑えることができて、サッシ用面材をそれが大型のものであってもコスト的に有利に建物に取り付けることができる。上記のサッシ用面材としては、ガラス板又はアクリル板が一般的であるが、アルミニウムやステンレスなどの金属からなるパンチング板などであってもよい。
【０００７】
【発明の実施の形態】
次に、本発明の実施形態を図面に基づいて説明する。
【０００８】
図１及び図２に示す実施形態のサッシ用面材の取付け構造において、１，１は鉄骨軸組構造の建物における構造用鉄骨軸材としてのＨ型鋼からなる左右の柱、２，２は同じくＨ型鋼からなる上下の梁、３はサッシ用面材でガラス板からなり、ガラス板３は柱１，１と梁２，２に囲まれた部分に取り付けられて、建物の屋内側４と屋外側５とを仕切っている。
【０００９】
このガラス板３の取付けのため、柱１，１と梁２，２を、図２（イ）（ロ）に示すように、ガラス板３の周縁部の一方の面側を支えるサッシ枠部として利用している。そして、ガラス板３の周縁部の側面側を支えさせるため、リップ溝形鋼や角形鋼管からなる第１サッシ枠部材６が溶接等で柱１、梁２に取り付けられ、更に、ガラス板３の周縁部のもう一方の面側を支えさせるため、帯鋼からなる第２サッシ枠部材７が、第１サッシ枠部材６にネジ止めなどで取り付けられている。なお、８はバックアップ材であり、９はシーリング材である。
【００１０】
このように、上記の取付け構造では、建物の構造用鉄骨軸材である柱１，１、梁２，２をガラス板３の周縁部の一方の面側を支えるサッシ枠部としているから、サッシ枠部材としては、サッシ用面材の周縁部のもう一方の面側及び側面側を支える上記の第１、第２のサッシ枠材６，７を用いるだけでよく、そのため、ガラス板３の取付けに要するサッシ枠部材の材料コストを低く抑えることができて、ガラス板３をコスト的に有利に建物に取り付けることができる。
【００１１】
以上に、本発明の実施形態を示したが、本発明はこれに限られるものではなく、発明思想を逸脱しない範囲で各種の変更が可能である。例えば、第１，第２のサッシ枠部材６，７の形態や取付け方法に制限はなく、材質にも制限はなく、材質はアルミニウムや樹脂などであってもよい。また、上記の実施形態では、サッシ枠部材を、ガラス板３の周縁部のもう一方の面側を支える第２サッシ枠部材７と、側面側を支える第１サッシ枠部材６との二部材で構成した場合を示しているが、ガラス板３の周縁部のもう一方の面側と側面側とを支える１部材からなるサッシ枠部材で構成するようにしてもよい。また、構造用鉄骨軸材は円形鋼管材や角形鋼管材、その他の形鋼材などであってもよいことはいうまでもない。
【００１２】
【発明の効果】
本発明は、以上のとおりのものであるから、建物が特に鉄骨軸組構造の建物であるような場合において、サッシ用面材を、それが大型のものであっても、もちろん小さいものであっても、コスト的に有利に建物に取り付けることができる。
【図面の簡単な説明】
【図１】実施形態を示すもので、ガラス板を取り付けた状態の正面図である。
【図２】図（イ）は図１のＩ−Ｉ線断面図、図（ロ）は図１のＩＩ−ＩＩ線断面図である。
【符号の説明】
１…柱（建物の構造用鉄骨軸材）
２…梁（建物の構造用鉄骨軸材）
３…ガラス板（サッシ用面材）
６…第１サッシ枠部材
７…第２サッシ枠部材
【図１】
2004211322.tif 000003
【図２】
2004211322.tif 000004
(57)【要約】【課題】形成できる無柱空間をより大きなものにすることができる鉄骨造建物における無柱大空間形成のための構造を提供する。【解決手段】耐力要素６の組み込まれた対の鉄骨耐力パネル２，２がパネル面を向かい合わせることなく同じ方向に向けて建物内の空間７を挟む両側に設置され、これら鉄骨耐力パネル２，２に長スパンの鉄骨横架材３がわたされている。【選択図】      図１
2004211325.tif 000002
【特許請求の範囲】
【請求項１】
耐力要素の組み込まれた対の鉄骨耐力パネルがパネル面を向かい合わせることなく同じ方向に向けて建物内の空間を挟む両側に設置され、これら鉄骨耐力パネルに鉄骨横架材がわたされていることを特徴とする鉄骨造建物における無柱大空間形成のための構造。
【請求項２】
前記耐力要素が鋼板からなる請求項１に記載の鉄骨造建物における無柱大空間形成のための構造。
【発明の詳細な説明】
【０００１】
【発明の属する技術分野】
本発明は、鉄骨造建物における無柱大空間形成のための構造に関する。
【０００２】
【従来の技術及び課題】
例えば住宅用の鉄骨造建物において、建物内部に無柱の大空間を形成することを求められることがあるが、鉄骨横架材を支える柱のサイズをあまり大きくすることができず、そのため、形成できる無柱空間の大きさに限界があった。特に、建物が軽量鉄骨造の場合はそうであった。
【０００３】
本発明は、かかる問題点に鑑み、形成できる無柱空間をより大きなものにすることができる鉄骨造建物における無柱大空間形成のための構造を提供することを課題とする。
【０００４】
【課題を解決するための手段】
上記の課題は、耐力要素の組み込まれた対の鉄骨耐力パネルが該パネル面を向かい合わせることなく同じ方向に向けて建物内の空間を挟む両側に設置され、これら鉄骨耐力パネルに鉄骨横架材がわたされていることを特徴とする鉄骨造建物における無柱大空間形成のための構造によって解決される。
【０００５】
この構造では、耐力要素の組み込まれた対の鉄骨耐力パネルがパネル面を向かい合わせることなく同じ方向に向けて建物内の空間を挟む両側に設置されているから、これら鉄骨耐力パネルによって長スパンの鉄骨横架材をしっかりと支えることができ、建物内に大きな無柱空間を形成することができる。
【０００６】
しかも、対のパネルは、鉄骨に耐力要素を組み込んで構成されているものであるから、長スパンの鉄骨横架材を支える上で優れた耐力を発揮することができながら、サイズの小さな鉄骨を用いてパネル厚を薄くすることができ、そのため、鉄骨耐力パネルが、鉄骨横架材と直交する方向の空間に圧迫感を与えてしまうこともない。
【０００７】
加えて、鉄骨耐力パネルを用いたパネル式の構造としているから、鉄骨柱の場合と同様に、柱立てに替わるパネル立てを行っていくことで形成することができ、現場での施工を省力化することができる。
【０００８】
また、前記鉄骨耐力パネルに組み込まれる耐力要素として鋼板が用いられている場合は、鉄骨耐力パネルに鉄骨横架材を支えさせる強い耐力をもたせることができながら、パネルの幅寸法を小さくすることができて、鉄骨耐力パネルの突出を小さく抑えることができ、形成できる無柱空間をいよいよ大きなものにすることができる。
【０００９】
【発明の実施の形態】
次に、本発明の実施形態を図面に基づいて説明する。
【００１０】
図１乃至図５に示す実施形態は、軽量鉄骨造建物に適用した場合のもので、１は基礎、２は鉄骨耐力パネル、３は鉄骨横架材である。
【００１１】
鉄骨耐力パネル２は、図２（イ）（ロ）に示すように、左右の縦フレーム材４，４と上下の横フレーム材５，５とを方形環状に組み、必要に応じて環内に図示しない縦横の桟を入れた鉄骨パネル本体９に、耐力要素６を組み込んだものである。本実施形態ではフレーム材４，５や桟に軽鉄が用いられている。この鉄骨耐力パネル２の幅寸法は、屋内側へと突出をできるだけ小さくするため、例えば３０〜６０ｃｍの範囲の狭幅のものに設計されており、それでも高い耐力を発揮しうるよう、本実施形態では、耐力要素として鋼板６を耐力要素として組み込んでおり、鋼板６には面外座屈等を防ぐため多数の孔が分散状態に明けられている。図面に示す孔は、丸孔であるが、スリット状などの孔であってもよい。なお、鉄骨耐力パネル２の幅寸法に制限はなく、形成しようとする無柱空間の大きさに応じて決めればよい。また、耐力要素として、ブレースなどが用いられてもよいし、ブレースや鋼板などが２種以上併用されてもよい。
【００１２】
上記の鉄骨耐力パネル２は、図１に示すように、パネル面を向かい合わせることなく同じ方向に向けるようにして、建物内の空間７を挟む両側にパネル立てされて設置され、これら両側の鉄骨耐力パネル２，２に長スパンの鉄骨横架材３がわたされて、建物内に無柱の大空間７が形成される。鉄骨横架材３は、例えばＨ形鋼等の鋼材や、トラス材などからなっていてよい。
【００１３】
図３乃至図５は、上記のような門形架構構造を用いた二階建て建物の構造の一例を示しており、対の鉄骨耐力パネル２，２間に長スパンの鉄骨横架材３を渡した門形架構が階上階下のそれぞれに列設され、各階に無柱の大空間７，７が形成されている。階間部分では、短スパンの梁８…がわたされているが、これら梁８…は、柱立てすることなく、鉄骨耐力パネル２や、長スパン鉄骨横架材３を利用してわたされており、それらの荷重は鉄骨耐力パネル２で支えている。なお、架構の列設方向において隣り合う鉄骨耐力パネル２…間は、棚や収納、パイプシャフト、室外機置き場、換気スペースなどとして利用するのもよい。なお、本発明は、建物の一部分に適用されてもよいし、全部に適用されてもよい。
【００１４】
【発明の効果】
本発明の、鉄骨造建物における無柱大空間形成のための構造は、以上のとおりのものであるから、形成できる無柱空間をより大きなものにすることができる。
【図面の簡単な説明】
【図１】実施形態の構造を示す正面図である。
【図２】鉄骨耐力パネルを示すもので、図（イ）はパネル本体と耐力要素を分離渋滞にして示す斜視図、図（ロ）はパネルの斜視図である。
【図３】建物への適用例を示す斜視図である。
【図４】図（イ）は図３の建物の階下部分の架構の斜視図、図（ロ）は同階上部分の斜視図である。
【図５】図（イ）は階下側の架構の平面図、図（ロ）は階上側の架構の平面図である。
【符号の説明】
２…鉄骨耐力パネル
３…鉄骨横架材
６…耐力要素
７…無柱大空間
【図１】
2004211325.tif 000003
【図２】
2004211325.tif 000004
【図３】
2004211325.tif 000005
【図４】
2004211325.tif 000006
【図５】
2004211325.tif 000007
(57)【要約】【課題】漬物を貯蔵及び熟成させる漬物貯蔵室と野菜及び漬物を保存する野菜貯蔵室を備えた冷蔵庫を提供すること．【解決手段】冷却サイクルユニットを備えた冷蔵庫１において、野菜を所定温度に貯蔵する第１貯蔵室３と、漬物を所定温度に貯蔵する第２貯蔵室４とを形成し、第２貯蔵室４の断熱扉６の表面には庫内温度を調節可能な温度調節スイッチ１１を配設し、第２貯蔵室４内には例えばぬか漬け等を収納する漬物容器１２を収納すると共に例えばあさ漬けを収納載置する棚１３を配設する。また、第１貯蔵室３内には庫内温度を野菜に最適な貯蔵温度に調節する温度調節スイッチを備えている。【選択図】  図１
2004211994.tif 000002
【特許請求の範囲】
【請求項１】
冷却サイクルユニットを備えた冷蔵庫において、野菜を所定温度に貯蔵する第１貯蔵室と、漬物を所定温度に貯蔵する第２貯蔵室とを備えたことを特徴とする冷蔵庫。
【発明の詳細な説明】
【０００１】
【発明の属する技術分野】
本発明は、冷却サイクルユニットを備えた冷蔵庫に関するものである。
【０００２】
【従来の技術】
通常の冷蔵庫の庫内温度は、冷蔵室では約５℃前後であり、冷凍室では約−１８℃前後であって、温度調節を行なうことにより前記温度より２℃乃至３℃低くするか又は高くすることができるようになっている（例えば、特開２００２−２４３３４３号公報参照）。
【０００３】
【特許文献】
特開２００２−２４３３４３号公報
【０００４】
【発明が解決しようとする課題】
しかし、冷蔵庫に貯蔵して漬物を熟成させようとすると、漬物の種類により貯蔵温度が異なるため、通常の冷蔵庫の冷蔵室内に野菜等と共に漬物を貯蔵するのは好ましくないという問題があった。一方、冷蔵庫で野菜と漬物を各貯蔵室に貯蔵できれば、漬物を作るうえで便宜である。
【０００５】
そこで本発明は、野菜及び漬物を貯蔵するのに適した冷蔵庫を提供することを目的とする。
【０００６】
【課題を解決するための手段】
このため本発明では、冷却サイクルユニットを備えた冷蔵庫において、冷却サイクルユニットを備えた冷蔵庫において、野菜を所定温度に貯蔵する第１貯蔵室と、漬物を所定温度に貯蔵する第２貯蔵室とを備えたことを特徴とする。
【０００７】
【発明の実施の形態】
以下図１乃至図３に基づいて本発明の実施形態について説明する。冷蔵庫１は前面を除く両側面、背面、天井面及び底面を断熱壁として構成される箱状の本体２を有する。この本体２は鋼板からなる外箱と硬質樹脂材料からなる内箱との間に発泡ウレタン等の断熱材を充填して構成されている。
【０００８】
そして、前記本体２の内部は仕切り壁（図示せず）により右側の野菜専用の第１貯蔵室３及び左側の漬物専用の第２貯蔵室４に区画されている。そして、第１貯蔵室３及び第２貯蔵室４の前面開口は把手３Ａ、４Ａにより夫々開閉可能な回動式の断熱扉５及び６により閉塞可能に構成されている。
【０００９】
また前記断熱扉５及び６は、夫々鋼板から成る扉外箱である扉材と硬質合成樹脂材料から成る扉内箱である扉パネルとの間に発泡ウレタン等の断熱材を充填して構成される。
【００１０】
尚、前記本体２の下部にはコンプレッサ７等を収納する機械室８が形成されており、このコンプレッサ７と、図示しない凝縮器及び減圧装置と、蒸発器である冷却器９及び１０などから冷却サイクルユニットが構成されている。
【００１１】
そして、前記冷却器９及び１０は第１貯蔵室３及び第２貯蔵室４の背壁前面に夫々露出して配設され、冷気が自然対流して庫内を冷却する直冷式を採用している。
【００１２】
また、前記断熱扉６の表面には第２貯蔵室４の庫内温度を例えば低温、中温、高温の３段階に調節可能な温度調節スイッチ１１が配設され、前記第１貯蔵室３内には庫内温度を野菜に最適な貯蔵温度に調節する図示しない温度調節スイッチが備えられている。
【００１３】
そして、前記第２貯蔵室４の下部は漬物容器１２を収納する空間であり、上部には例えば浅漬け物を載置するための棚１３が着脱できるように設けられ、第１貯蔵室３にも野菜を載置するための着脱可能な複数の棚１４が所定間隔を存して設けられている。
【００１４】
以上のように、冷却サイクルユニットを備えた冷蔵庫において、野菜を所定温度に貯蔵する第１貯蔵室３と、漬物を所定温度に貯蔵する第２貯蔵室４とを形成したから、各々の貯蔵室は温度調節スイッチ１１の設定に基づいて、冷却サイクルユニットを図示しないマイクロコンピュータ等の制御装置で制御して冷却させる。
【００１５】
そして、第２貯蔵室４では漬物を作るのに適した季節や気温の時期以外においても、漬物の種類に適した温度で貯蔵することにより、熟成された漬物を作ることができ、漬物が熟成された後には貯蔵室温度を適切に維持して漬物の味と新鮮さを長期間保持することができる。
【００１６】
そして、第１貯蔵室３は野菜や果物の新鮮度を維持できる適正温度に設定されているので、野菜や果物を常に新鮮に保存しておくことができるうえ、熟成された漬物を保存しておくこともできる。
【００１７】
例えば、第２貯蔵室４の温度調節スイッチ１１の設定を低温では５℃、中温では１０℃、高温では１５℃程度にすると、低温の５℃程度が貯蔵最適温度の漬物は白菜漬、たくあん漬、千枚漬等であり、高温の１５℃程度がぬか漬等に適温のため、漬物の種類に最適な温度を選択し、漬物容器１２や棚１３上に貯蔵をしておくことにより季節や気温に係わらず熟成された漬物を作ることができる。
【００１８】
また、第２貯蔵室４内に、例えばぬか漬け等を収納する漬物容器１２に加え、その上方には棚１３が設けられているので浅漬け用の貯蔵場所として使用することができ、更に第１貯蔵室３にも着脱可能な棚１４が設けられ、種々の野菜が収納し易くされている。従って、断熱扉５を開けて第１貯蔵室３内から野菜を取り出して、野菜に塩をかけて、或いは液体の浅漬けの元の中に野菜を入れてよく揉んだ後、ビニール袋に入れた状態で、第２貯蔵室４内の棚１３上に貯蔵するのに便利である。
【００１９】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２０】
【発明の効果】
以上のように本発明は、野菜及び漬物を貯蔵するのに適した冷蔵庫を提供することができる。即ち、従来の冷蔵庫の冷蔵室に漬物を貯蔵しようとすると、温度調節範囲が漬物の貯蔵温度に適さない場合があったり、野菜の貯蔵には適しても漬物には適さない場合があったが、漬物専用の貯蔵室では漬物に最適な温度で貯蔵及び熟成させることできる。
【図面の簡単な説明】
【図１】冷蔵庫の斜視図である。
【図２】冷蔵庫のＡ−Ａ断面図である。
【図３】冷蔵庫のＢ−Ｂ断面図である。
【符号の説明】
１                冷蔵庫
２                本体
３                第１貯蔵室
４                第２貯蔵室
５、６            断熱扉
１１              温度調節スイッチ
【図１】
2004211994.tif 000003
【図２】
2004211994.tif 000004
【図３】
2004211994.tif 000005
(57)【要約】【課題】誰にでも簡単に梁等の出ズミ部分の補強を出来る様にする。さらに、下地の影響を受けにくくし隙間やズレを無くす。【解決手段】Ｙ字型コーナー１の形にすることにより、従来の様な作業が必要なくなり誰にでも簡単に貼ることが出来さらに、従来ズレや隙間が生じていた部分が接合されることによりその様な問題も解決される。【選択図】図１
2004211521.tif 000002
【特許請求の範囲】
【請求項１】
ボード等のコーナーに素早く簡単に貼る事の出来る、
Ｙ型のコーナー。
【請求項２】
図面により説明すると、図１の側面にトメ状の切りこみ２を入れてあるので、様々な角度のボード等のコーナーに対応出来る。
【発明の詳細な説明】
【０００１】
【発明の属する技術分野】
本発明を図面により説明すると，塗装、クロス，左官等の下地４のコーナー部分を、図３の様に素早く簡単に補強するもの。また、本発明は、様々な角度の下地等に対応する為に、図１の側面にトメ状の切りこみ２を入れてある。
【０００２】
【従来の技術】
図面により説明すると、従来は、図５の様に棒状のＬ型コーナー３を、コーナーの先端部分の角が出る様に、トメ状に合わせて切って貼る為に難しく時間がかかる。また、下地の影響を受けやすく、図４の様にコーナーの先端部分に隙間が空いてしまったり、ズレてしまったりする。そのため、パテ等で形を整えるので形が壊れやすくなってしまう。
【０００３】
【発明が解決しようとする課題】
図５の様な作業を無くし、誰にでも簡単にコーナー部分の補強を出来るようにする。また、下地の影響を受けにくくし、図４の様な先端部分の隙間、ズレを無くす。
【０００４】
【課題を解決するための手段】
図面により説明すると、図１の様な型にすることにより図５の様な作業が必要なくなる。なおかつ、従来図４の様な、隙間やズレが生じていた部分が接合されることによりその様な問題が解決される。
【０００５】
【発明の実施の形態】
図面により説明すると、図３の様にＹ型コーナーをはじめに貼っていき、そして棒状のＬ字型コーナー３で長さを合わせコーナー部分に貼っていく。
【０００６】
【実施例】
内装工事等のパテ処理が必要な箱状の梁や凸部分のつくり物又は細工物等の先端を綺麗に出す為に使う。
【０００７】
【発明の効果】
Ｙ字型コーナーを使うことにより、先端の形が壊れにくくなり隙間・ズレといった問題も無く、綺麗で誰にでも簡単に貼ることが出来る。
【図面の簡単な説明】
【図１】Ｙ型コーナーの立面図である。
【図２】従来の棒状Ｌ型コーナーの立面図である。
【図３】Ｙ型コーナーの実用例の立面図である。
【図４】従来のＬ型コーナーの実用例の立面図である。
【図５】従来のＬ型コーナーの実用の為の工程の立面図である。
【符号の説明】
１  Ｙ型コーナー
２  トメ状の切りこみ
３  Ｌ型コーナー
４  塗装，クロス，左官等の下地
５  トメ状の切り取り線
【図１】
2004211521.tif 000003
【図２】
2004211521.tif 000004
【図３】
2004211521.tif 000005
【図４】
2004211521.tif 000006
【図５】
2004211521.tif 000007
(57)【要約】【課題】本考案は、上記した従来技術の問題を解決するために、地下式単口消火栓の堅牢さを確保すると共に、大きさを最小限にする。また、口金と外し金全体をカバーする、深絞りキャップを装着することで、口金部及び外し金に砂や泥が付着しない様にする。また、弁箱上部のボルトを外すことで、簡単に弁体の修理やパッキン交換する事の出来る構造を提供する。【解決手段】上記の課題を解決する為、この考案は地下式消火栓のバルブ全開時の全高が２７５ｍｍ以下にする事で、浅層埋設できる。また、口金部及び外し金に砂や泥が付着しないように、口金と外し金全体を保護する、深絞りキャップを装着している。また、弁箱上部に弁箱のふたを取り外すためのボルトを設け、係るボルトを外すことで、弁箱より簡単に弁体を取り外し、修理やパッキン交換する事のできるようになっている。【選択図】    図１
2004211517.tif 000002
【特許請求の範囲】
【請求項１】
消火栓本体が２７５ｍｍ以下であることにより、浅層に埋設できることを特徴とする地下式単口消火栓。
【請求項２】
請求項１の消火栓において、口金が土砂などの汚れにより変形する事を防止するための深絞りキャップを装着したことを特徴とする地下式単口消火栓。
【請求項３】
請求項１の消火栓において、本体上部のボルトを外す事により簡便に弁体の修理やパッキンを交換できる構造を持った事を特徴とする地下式単口消火栓。
【発明の詳細な説明】
【０００１】
【発明の属する技術分野】
本考案は、消火水を放出するための地下式の消火設備に関するものである。
【０００２】
【従来の技術】
従来、地下式消火栓は地下式であるが故の堅牢さが必要である事で、各部のパーツも大型であり、地下への深層埋設を余儀なくされると共に、工事も大がかりになり、工事費が多額になると共に、埋設場所の確保が必要な為地下のスペースの確保できる場所にしか埋設出来ないという制限もあった。
【０００３】
また、地中に埋設しているために、ホースを取り付ける口金部や外し金に砂や泥などの付着で、ホースの操作時に汚れの除去が必要であった、また、汚れを除去せずホースを挿入した場合などは、変形や噛み込みなどのトラブルが発生していた。
【０００４】
また、弁体の修理やパッキンの交換の場合は、弁箱全体を地中より取り出し、弁箱を分解する事で行っていた。
【０００５】
【発明が解決しようとする課題】
本考案は、上記した従来技術の問題を解決するために、地下式単口消火栓の堅牢さを確保すると共に、大きさを最小限にする。
【０００６】
また、口金と外し金全体をカバーする、深絞りキャップを装着することで、口金部及び外し金に砂や泥が付着しない様にする。
【０００７】
また、弁箱上部のボルトを外すことで、簡単に弁体の修理やパッキン交換する事の出来る構造を提供する。
【０００８】
【課題を解決するための手段】
上記の課題を解決する為、この考案は地下式消火栓のバルブ全開時の全高が２７５ｍｍ以下にする事で、浅層埋設できる。
【０００９】
また、口金部及び外し金に砂や泥が付着しないように、口金と外し金全体を保護する、深絞りキャップを装着している。
【００１０】
また、弁箱上部に弁箱のふたを取り外すためのボルトを設け、係るボルトを外すことで、弁箱より簡単に弁体を取り外し、修理やパッキン交換する事のできるようになっている。
【００１１】
【発明の実施の形態】
地下式単口消火栓を図１のようにバルブ全開時の全高が２７５ｍｍ以下になる様な構造となる。
【００１２】
また、口金と外し金全体を保護する構造の深絞りキャップを装着した構造となる。
【００１３】
また、弁箱上部に弁箱のふたを取り外すためのボルトを設けた構造になっている。
【００１４】
【実施例】
図１は本考案の実施例にかかる、地下式単口消火栓の側断面図で、１は弁箱、２はふた、３は弁体、４は弁棒、５ふた取り付けネジを示す。
また、バルブ開閉時の最大全高が２７５ｍｍであることを示す。
【００１５】
【発明の効果】
本考案は、前述のように、地下式単口消火栓に於いて、バルブ開閉時の最大全高が２７５ｍｍとコンパクトに設計されている事で、浅層埋設できる効果を有する。
【００１５】
また、深絞りキャップを装着した構造である事で、口金部及び外し金に砂や泥が付着しない効果を有する。
【００１６】
また、弁箱上部に弁箱のふたを取り外すためのボルトを設けた構造であることで、容易に弁体の修理やパッキンの交換ができる効果を有する。
【図面の簡単な説明】
【図１】「本考案の地下式単口消火栓の側断面図である。」
【符号の説明】
１・・・・・弁箱
２・・・・・ふた
３・・・・・弁体
４・・・・・弁棒
５・・・・・ふた取り付けネジ
【図１】
2004211517.tif 000003
(57)【要約】      （修正有）【課題】一般家庭で使われる洋式便器の使用形態は、男女兼用である。したがって、男子が小用に使用するには機能的に不十分である。そこで、家庭のトイレにおけるこの非合理性を解消しようとするものである。【解決手段】回転仕様の小便器１を、トイレ室壁面内に設備し、使用の都度定位置に移動する。常時は壁面に格納されるため、使用者以外には便器が目に触れず視覚的嫌悪感がない。【選択図】図１
2004211519.tif 000002
【特許請求の範囲】
【請求項１】
便器を横回転させ、壁面内等に格納できる小便器。
【発明の詳細な説明】
【０００１】
常時は壁面内等に格納し、必要の都度回転して、定位置へ移動し使用する小便器に関するものである。
【０００２】
かって、和式便器が使われていた時代には、各家庭に男子専用便器が多く併設されていたが、洋式便器が普及されてからは、男子便器が姿を消してしまった。
従来の小便器は壁面に取り付けるため、住宅内に設置する場合は、独立の小室などを用意しなければならず、スペース上の制約があった。
しかし、近年、住宅事情も好転し、広さは勿論のこと一軒にトイレが二か所という例も多くなり、トイレ室も広く手洗器やカウンターテーブルなどを、設備した例も見られるようになった。
現在の洋式便器は、使用形態が男女兼用となっている。本来的には座って使用する構造であるから、男子がこれを立った姿勢で使用する場合、全く汚損せずに使用することは難しく、多くの主婦の気が揉めるところである。
成人男性の身長も伸びており、更には、幼児から高齢者まで使用するには構造的に無理がある。清潔が求められるトイレ室では一層の機能面の改善が望まれるが、これは男子専用便器の実用価値より、屋内に据付けた場合の違和感が強く影響しているものと思われる。
【０００３】
近頃、住宅の高品質化傾向が進むなかにあって、トイレ室も居室並な内装のうえ、便器自体も電化され、快適な環境が提供されているが、前述のごとくトイレの実用面では改善の余地がある。
また、小便器は露出度が高く、現在の住宅空間では感覚的に敬遠されがちである。洋式便器に蓋があるように、この視覚面の対応を考慮のうえ、大幅な改造によらずトイレ室内に併設することを可能とする。
住宅設備が充実するなかで、一便器の兼用から小便器の併設により、トイレを男性にとってより使い易くすることが起案要因である。
【０００４】
本発明の構造は、次のとおりである。
（イ）小便器１は、注水口５と排水口６を同一垂直線上に設け、同口を中心に前後左右の重量バランスがとれた形状とし、回転壁４を額縁状に取り付ける。
（ロ）小便器は、トイレ室等の壁３際に自立据付し、注水管７・排水管８が回転軸となり、軸受の支柱１０は回転壁４の軌道を避けて設置する。
（ハ）常時は壁面内等に格納された状態とし、使用の都度回転してトイレ室の定位置へ移動する。格納箇所の外側の仕上げは、建物の外壁又は隣室等の設置された場所に適合した庇護を施す。
（ニ）床置小便器についても、重量を調節することにより、注水口・排水口を回転軸として同様な仕様で、設置可能である。
【０００５】
当便器は、図１の如くトイレ室の壁面へ埋め込む状態で設置する。便器の使用側である図１の左は中心より突き出た形状で、図１の右の背面はより平滑状とする。当背面はカバープレート２で覆い、トイレ室壁面と調和した仕上げとする。便器１は、常時壁面内に格納され図３の状態となる。使用する際は、手動または電動にて回転しトイレ室の定位置に移動し図２の状態となる使用後は、直ちに元の状態図３に復する。
【０００６】
小便器を回転して移動することにより、完全に格納状態とし、トイレ室内における同便器の存在感を消去することができる。
常時は背面カバープレートが壁面に来るので、同室内に占めるスペースは極めて小さく、また、この面を利用して手洗器とか収納棚等を装備することも可能である。
使用者以外は、便器が目に触れることはなく、使用時のみ定位置へ現れる方式である。この場合、従来の洋式便器は座式専用便器となるので、その構造形状、周辺のインテリアにも変化が期待できる。
トイレ室内の居住性に違和感なく併設でき、より清潔で実用性を高めることができる衛生設備を提供するものである。
【図面の簡単な説明】
【図１】本発明の側面図
【図２】本発明の正面図
【図３】本発明の背面図
【図４】本発明の躯体図
【符号の説明】
１は小便器
２はカバープレート
３は壁
４は回転壁
５は注水口
６は排水口
７は注水管
８は排水管
９は軸受
１０は支柱
【図１】
2004211519.tif 000003
【図２】
2004211519.tif 000004
【図３】
2004211519.tif 000005
【図４】
2004211519.tif 000006
(57)【要約】【課題】従来土嚢に土を詰め込む場合、１人が袋を持ち、他の人がショベルで土を投入する方法でやっていたものが、１人で迅速に袋詰めできる器を提供するものである。【解決手段】土嚢（３）の中に、土嚢定量詰め器（１）を入れ、定量の土（４）を投入し、土嚢の一端を持ち、吊環（２）を持って上方に引き抜けば、袋詰め完了となり、迅速に袋詰めができ、従来２人でやっていた作業が１人でできて、災害時に急を要する場合、特に重宝である。【選択図】  図２
2004211518.tif 000002
【特許請求の範囲】
【請求項１】
上部がやや拡がった底敷のない筒（１）の上端に吊ロープ又は吊環（２）を付けた土嚢定量詰め器。
【発明の詳細な説明】
【０００１】
【発明の属する技術分野】
この発明は、定量の土を迅速に土嚢に詰め込む器に関するものである。
【０００２】
【従来の技術】
従来土嚢に土を詰め込む場合は、他の１人が袋を拡げ、ショベルで土を投入する２人作業が一般的なやり方であった。
又一定量の土を投入することがむづかしく量が不定量になった。
大型の土嚢詰め機があっても重量があって移動が簡単でないため、災害時に急を要する場合は使用できなかった。
【０００３】
【発明が解決しようとする課題】
土嚢に土を袋詰めする場合は、災害時に急を要する場合が多く、安価で手軽なものでないと何時何処で災害が起るか分からないため、大型の機械では各地に何台も用意して災害に備えることは経費的にも無理だし、災害現場まで移動する時間がかかるようでは実用的でない。
本発明は、手軽で上安価にできるため、各地に多く用意しておけば災害時に即応できる。
【０００４】
【課題を解決するための手段】
長方形の上部がやや拡がった底敷のない円筒（１）の上端に、吊ロープ又は吊環（２）を付けた土嚢定量詰め器は、安価にできるため、災害に備えて各地に数個用意しておき、一旦災害が起これば即応できる。
【０００５】
【発明の効果】
本発明により災害時に急を要する場合、迅速に土嚢（３）に定量の土（４）を詰め込むことが可能になって、災害を最小限に食い止めることができる。
簡単で安価にできるので災害に備えて全国各地に用意することが可能である。
【図面の簡単な説明】
【図１】本発明の土嚢定量詰め器の斜視図
【図２】本発明の土嚢詰め器をセットし定量の土を投入した斜視図
【符号の説明】
１  定量詰め器
２  吊環
３  土嚢
４  土
【図１】
2004211518.tif 000003
【図２】
2004211518.tif 000004